(57)【要約】【課題】光取り出し部が取り外された状態でレーザ光が出射部の外部に出射されることを抑制することが可能なレーザユニットを提供する。【解決手段】レーザユニット１は、本体部１０と、本体部１０に着脱可能な光取り出し部２０とを備える。本体部１０は、レーザ素子３２と、レーザ素子３２を取り囲み、レーザ素子３２からの光Ｌを出射する出射部１４を有するケース１２とを含む。光取り出し部２０は、ケース１２から出射される光Ｌが入射する第１光ファイバ２８と、導体からなり、第１光ファイバ２８を保持し、出射部１４に着脱可能な接続部２５とを含む。接続部２５は、レーザ素子３２への電力供給回路の一部を構成する。【選択図】図１
2018098257.tif 000002
【特許請求の範囲】
【請求項１】
本体部と、
前記本体部に着脱可能な光取り出し部とを備え、
前記本体部は、
レーザ素子と、
前記レーザ素子を取り囲み、前記レーザ素子からの光を出射する出射部を有するケースとを含み、
前記光取り出し部は、
前記ケースから出射される光が入射する第１光ファイバと、
導体からなり、前記第１光ファイバを保持し、前記出射部に着脱可能な接続部とを含み、
前記接続部は、前記レーザ素子への電力供給回路の一部を構成する、レーザユニット。
【請求項２】
前記出射部は、
導体からなり、前記電力供給回路の一部を構成する第１の導電部と、
導体からなり、前記電力供給回路の一部を構成し、前記第１の導電部と電気的に絶縁されている第２の導電部と、
絶縁体からなり、前記第１の導電部と前記第２の導電部とを電気的に絶縁する絶縁部と、を含み、
前記光取り出し部が前記本体部に装着された状態において、前記第１の導電部と前記第２の導電部とが前記接続部により電気的に接続される、請求項１に記載のレーザユニット。
【請求項３】
前記本体部は、前記レーザ素子から出射された光を前記出射部へと導く第２光ファイバをさらに含み、
前記光取り出し部が前記本体部に装着された状態において、前記第２光ファイバと、前記第１光ファイバとが光結合される、請求項１又は請求項２に記載のレーザユニット。
【請求項４】
前記光取り出し部が前記本体部に装着された状態において、前記第２光ファイバの端部と、前記第１光ファイバの端部とが接触することにより前記第２光ファイバと前記第１光ファイバとが光結合される、請求項３に記載のレーザユニット。
【発明の詳細な説明】
【技術分野】
【０００１】
本発明は、レーザユニットに関するものである。
【背景技術】
【０００２】
本体内にレーザ発振器を配置したレーザユニットが知られている。たとえば、特許文献１においては、レーザ装置本体内にレーザ発振器と、レーザ発振器に接続され、レーザ光の導光路となる光ファイバとを備えたレーザユニットが開示されている。光ファイバの先端部はレーザ装置本体から繰り出され、光ファイバの先端部からレーザ光が照射される。
【先行技術文献】
【特許文献】
【０００３】
【特許文献１】特開２０１６−８３０１６号公報
【発明の概要】
【発明が解決しようとする課題】
【０００４】
本体部に対して、光ファイバを含む光取り出し部が着脱可能なレーザユニットにおいては、レーザ素子に電力が供給されると、光取り出し部が取り外された状態であっても本体部の出射部からレーザ光が出射されるおそれがある。そこで、光取り出し部が取り外された状態でレーザ光が出射部の外部に出射されることを抑制することが可能なレーザユニットを提供することを目的の１つとする。
【課題を解決するための手段】
【０００５】
本発明に従ったレーザユニットは、本体部と、本体部に着脱可能な光取り出し部とを備える。本体部は、レーザ素子と、レーザ素子を取り囲み、レーザ素子からの光を出射する出射部を有するケースとを含む。光取り出し部は、ケースから出射される光が入射する第１光ファイバと、導体からなり、第１光ファイバを保持し、出射部に着脱可能な接続部とを含む。接続部は、レーザ素子への電力供給回路の一部を構成する。
【発明の効果】
【０００６】
上記レーザユニットによれば、光取り出し部が取り外された状態ではレーザ光が出射部の外部に出射されることを抑制することが可能なレーザユニットを提供することができる。
【図面の簡単な説明】
【０００７】
【図１】光取り出し部が本体部から取り外された状態におけるレーザユニットの構造を示す概略図である。
【図２】光取り出し部を本体部に装着した状態におけるレーザユニットの構造を示す概略図である。
【図３】光取り出し部を本体部に装着した状態における、レーザユニット内の電流の流れを示す概略図である。
【発明を実施するための形態】
【０００８】
［本願発明の実施形態の説明］
最初に本願発明の実施態様を列記して説明する。本願のレーザユニットは、本体部と、本体部に着脱可能な光取り出し部とを備える。本体部は、レーザ素子と、レーザ素子を取り囲み、レーザ素子からの光を出射する出射部を有するケースとを含む。光取り出し部は、ケースから出射される光が入射する第１光ファイバと、導体からなり、第１光ファイバを保持し、出射部に着脱可能な接続部とを含む。接続部は、レーザ素子への電力供給回路の一部を構成する。
【０００９】
本願のレーザユニットは、接続部がレーザ素子への電力供給回路の一部を構成する。そのため、光取り出し部が装着されていない状態で本体部の電源がオンの状態にされてもレーザ素子に電力が供給されない。そのため、光取り出し部が取り外された状態でレーザ光が出射部の外部へと出射されることが回避される。このように、本願のレーザユニットによれば、光取り出し部が取り外された状態でレーザ光が出射部の外部に出射されることを抑制することが可能なレーザユニットを提供することができる。
【００１０】
出射部は、導体からなり、電力供給回路の一部を構成する第１の導電部と、導体からなり、電力供給回路の一部を構成し、第１の導電部と電気的に絶縁されている第２の導電部と、絶縁体からなり、第１の導電部と第２の導電部とを電気的に絶縁する絶縁部と、を含み、光取り出し部が本体部に装着された状態において、第１の導電部と第２の導電部とが接続部により電気的に接続される構成であってもよい。このようにすることにより、簡易な構造の上記本願のレーザユニットを提供することができる。
【００１１】
本体部は、レーザ素子から出射された光を出射部へと導く第２光ファイバをさらに含み、光取り出し部が本体部に装着された状態において、第２光ファイバと、第１光ファイバとが光結合される構成であってもよい。このような構成であることで、光の損失を抑制し、効率よく出射部からレーザ光を出射することができる。
【００１２】
また光取り出し部が本体部に装着された状態において、第２光ファイバの端部と、第１光ファイバの端部とが接触することにより第２光ファイバと第１光ファイバとが光結合される構成であってもよい。このような構成であることで、光の損失をより確実に抑制し、より効率よく出射部からレーザ光を出射することができる。
【００１３】
［本願発明の実施形態の詳細］
次に、本願の一実施形態にかかるレーザユニットを、図１〜図３を参照しつつ説明する。以下の図面において同一または相当する部分には同一の参照番号を付しその説明は繰返さない。
【００１４】
図１は光取り出し部が本体部から取り外された状態におけるレーザユニットの構造を示す概略図である。図２は光取り出し部を本体部に装着した状態におけるレーザユニットの構造を示す概略図である。図１および図２を参照して、本実施の形態におけるレーザユニット１は、本体部１０と、本体部１０に着脱可能な光取り出し部２０とを備える。
【００１５】
本体部１０は、レーザ素子３２と、レーザ素子３２からレーザ光Ｌを出射する出射部１４を有するケース１２とを含む。ケース１２の出射部１４は、第１の導電部５０と、第２の導電部７０と、絶縁部７５と含む。
【００１６】
第１の導電部５０は導体からなり、電力供給回路の一部を構成する。第２の導電部７０は、導体からなり、電力供給回路の一部を構成し、第１の導電部５０と電気的に絶縁されている。絶縁部７５は、絶縁体からなり、第１の導電部５０と第２の導電部７０とを電気的に絶縁する。
【００１７】
図１を参照して、本実施の形態における第１の導電部５０は、本体部１０のベース部６２と、第１導電層６４と、コネクタ６０と、中空筒状体７２とを含む。ベース部６２、第１導電層６４、コネクタ６０、および中空筒状体７２はそれぞれ金属などの導体から形成されている。絶縁部７５は外側絶縁層６６と内側絶縁層８０と空隙部８２とを含む。第２の導電部７０は、内側端子７８と、軸部７６と、第２導電層６８と、外側端子７４とを含む。
【００１８】
［第１の導電部］
本実施の形態における第１の導電部５０について説明する。上述の通り、第１の導電部５０はベース部６２と、第１導電層６４と、コネクタ６０と、中空筒状体７２とを含む。ベース部６２は本体部１０の筐体の一部を構成する。ベース部６２は、平板状の形状を有する。ベース部６２は、接点４３において、レーザ素子３２に電力を供給する配線４８と接続されている。第１導電層６４は層状の構造を有し、ベース部６２の主面６２Ｂと第１導電層６４の主面６４Ａとが接触するように配置されている。
【００１９】
中空筒状体７２は、中空筒状の形状を有し、ベース部６２と第１導電層６４の中央部分を貫通し、ケース１２の外部へと突出している。ベース部６２と中空筒状体７２、および第１導電層６４と中空筒状体７２とはそれぞれ接触しておらず、空隙５７を介して離れている。
【００２０】
コネクタ６０は、支持部５５と、外側筒状部５２と、内側筒状部５３とを含む。支持部５５は円盤状の形状を有する。外側筒状部５２は、支持部５５の外周に沿って支持部５５に対し垂直な方向に延在し、支持部５５と接する側とは逆側の端部で開口する。内側筒状部５３は、外側筒状部５２の内周面よりも内側に配置され、支持部５５に対し垂直な方向に延在し、支持部５５に接する側とは逆側の端部で開口する。支持部５５、外側筒状部５２および内側筒状部５３はそれぞれ金属などの導体からなる。支持部５５、外側筒状部５２および内側筒状部５３は一体的に成形されている。
【００２１】
コネクタ６０はベース部６２および中空筒状体７２に対し着脱可能である。図１および図２に示すように、コネクタ６０がベース部６２および中空筒状体７２に対し装着された状態においては、内側筒状部５３の外周面５３Ａと中空筒状体７２の内周面７２Ｂとが接触する。また外側筒状部５２の開口部側の端面５２Ａと、ベース部材６２の、第１導電層６４に接している側とは反対側の主面６２Ａとが接触する。これにより、コネクタ６０を介して中空筒状体７２とベース部６２および第１導電層６４とが電気的に接続される。
【００２２】
［絶縁部］
次に本実施の形態における絶縁部７５について説明する。図１および図２を参照して、絶縁部７５は絶縁体からなり、第１の導電部５０に隣接するように配置される。図１および図２を参照して、絶縁部７５は外側絶縁層６６と内側絶縁層８０と空隙部８２とを含む。
【００２３】
外側絶縁層６６は樹脂などの絶縁体により形成され、平板の層状の形状を有する。外側絶縁層６６は、その主面６６Ａが第１導電層６４の主面６４Ｂと接触するように配置される。また外側絶縁層６６の主面６６Ｂが後述する第２の導電部７０の第２導電層６８の主面６８Ａと接触するように配置される。このように、外側絶縁層６６が第１導電層６４と第２導電層６８の間に介在することで、第１の導電部５０を構成する第１導電層６４と、第２の導電部７０を構成する第２導電層６８とが電気的に絶縁される。第１の導電部５０の中空筒状体７２は外側絶縁層６６の中央部を貫通する。中空筒状体７２の外周面の一部は外側絶縁層６６と接触しており、外側絶縁層６６によって中空筒状体７２が保持されている。
【００２４】
内側絶縁層８０は樹脂などの絶縁体により形成され、平板の層状の形状を有する。内側絶縁層８０の素材は外側絶縁層６６の素材と同一でもよく、異なっていてもよい。内側絶縁層８０はベース部材６２の主面６２Ａと、内側絶縁層８０の主面８０Ｂとが接触するように配置される。また内側絶縁層８０のもう一方の主面８０Ａ上には、後述する内側端子７８が主面８０Ａと接触するように配置される。内側絶縁層８０により、第１の導電部５０を構成するベース部６２と、第２の導電部７０を構成する内側端子７８とが電気的に絶縁される。
【００２５】
空隙部８２は絶縁体としての空気からなる。空隙部８２により、第１の導電部５０を構成するベース部６２および第１導電層６４のそれぞれと、後述する第２の導電部７０を構成する軸部７６とが電気的に絶縁される。
【００２６】
［第２の導電部］
次に第２の導電部７０について説明する。図１および図２を参照して、第２の導電部７０は、内側端子７８と、軸部７６と、第２導電層６８と、外側端子７４とを含む。内側端子７８と、軸部７６と、第２導電層６８と、外側端子７４とはそれぞれ金属などの導体から形成されている。
【００２７】
内側端子７８は内側絶縁層８０の主面８０Ａに接触するように配置される。内側端子７８は円盤状の形状を有する。内側端子７８は、接点４１において配線４７と接続されている。内側絶縁層８０により、内側端子７８は第１の導電部５０を構成するベース部６２と電気的に絶縁される。
【００２８】
軸部７６は棒状の形状を有し、内側絶縁部８０、ベース部６２、第１導電層６４、外側絶縁部６６および第２導電層６８を貫通し、内側端子７８と外側端子７４とを接続する。これにより内側端子７８と外側端子７４とが電気的に接続される。軸部７６と、ベース部６２および第１導電層６４との間には、絶縁部７５としての空隙部８２が設けられている。空隙部８２の存在により、第１の導電部５０を構成するベース部６２および第１導電層６４のそれぞれと、第２の導電部７０を構成する軸部７６とが電気的に絶縁される。軸部７６と内側絶縁部８０および外側絶縁部６６とは接触していてもよく、離れていてもよい。図１においては、軸部７６の外周面と内側絶縁部８０および外側絶縁部６６とが接触しており、内側絶縁部８０および外側絶縁部６６によって軸部７６が保持されている。
【００２９】
第２導電層６８は、平板の層状の形状を有し、主面６８Ａが外側絶縁層６６の主面６６Ｂと接触するように配置される。第２導電層６８のもう一方の主面６８Ｂ上には、外側端子７４が主面６８Ｂと接触するように配置される。内側絶縁部８０と軸部７６との間には空隙部８４が設けられており、内側絶縁部８０と軸部７６とが離れるように配置されている。内側絶縁部８０と軸部７６とは接触するように配置してもよい。外側端子７４は円盤状の形状を有する。外側端子７４は軸部７６と電気的に接続されている。
【００３０】
内側端子７８、軸部７６および外側端子７４は、内側絶縁層８０、ベース部６２、第１導電層６４、外側絶縁層６６および第２の導電部７０を固定する固定具としての役割を兼ねていてもよい。例えば、内側端子７８および外側端子７４がそれぞれ雌ネジ型のネジ山を有するナットであり、軸部７６の両端部に２つのナットをそれぞれはめ込むことが可能な雄ネジ型のネジ山が設けられていてもよい。あるいは、内側端子７８および外側端子７４のうちいずれか一方がボルト頭であり、軸部７６がボルト頭と一体的に形成された、雄ネジ型のネジ山を有するボルトのシャフトであり、外側端子７４および内側端子７８のうち他方がボルト軸部にはめ込み可能な雌ネジ型のネジ部を有するナットであってもよい。
【００３１】
［レーザ素子および第２光ファイバ］
次に、レーザ光を出射するレーザ発振器３０およびレーザ発振器３０から出射されたレーザ光を導光する第２光ファイバ５４について説明する。レーザ発振器３０の内部には、筐体３６の内部にレーザ素子３２とコリメートレンズ３４とが配置されている。
【００３２】
第１の導電部５０を構成するコネクタ６０の内側筒状部５３の内側の空間には、支持部５５を貫通し、内側筒状部５３の開口部の外側にまで延在する、断面が中実円状の第２光ファイバ５４と、第２光ファイバ５４の外周を被覆し、第２光ファイバ５４を保護する第２保護皮膜５６とが配置される。第２光ファイバ５４はレーザ素子３２から出射されたレーザ光Ｌを出射部１４へと導く。第２光ファイバ５４は石英ガラスやプラスチックから形成される。また第２保護皮膜５６は、紫外線硬化型樹脂などの樹脂から形成される。
【００３３】
［光取り出し部］
次に本体部１０に着脱可能な光取り出し部２０について説明する。光取り出し部２０は、ケース１２から出射される光が入射する第１光ファイバ２８と、第１光ファイバ２８を保護する保護皮膜２６と、導体からなり、第１光ファイバ２８を保持し、出射部１４に着脱可能な接続部２５とを含む。
【００３４】
接続部２５は、支持部２３と、外側筒状部２２と、内側筒状部２４とを含む。支持部２３は円盤状の形状を有する。外側筒状部２２は、支持部２３の外周に沿って支持部２３に対し垂直な方向に延在し、支持部２３に接する側とは逆側の端部で開口する。内側筒状部２４は、外側筒状部２２の内周面よりも内側に配置され、支持部２３に対し垂直な方向に延在し、支持部５５と接する側とは逆側の端部で開口する。支持部２３、外側筒状部２２および内側筒状部２４はそれぞれ金属などの導体からなり、一体的に成形されている。接続部２５の内側筒状部２４の外周の形状は、光取り出し部２０を本体部１０に装着した際に内側筒状部２４の外周面２４Ａが、中空筒状体７２の内周面７２Ｂに接触するように設計されている。また外側筒状部２２は、光取り出し部２０が本体部１０に装着された状態において、外側筒状部２２の開口部側の端面２２Ｂが、第２導電層６８の主面６８Ｂに接触するように設計されている。
【００３５】
接続部２５の内側筒状部２４の内側の空間には、第１光ファイバ２８と、支持部２３を貫通し、内側筒状部２４の開口部の外側にまで延在する、断面が中実円状の第１光ファイバ２８と、第１光ファイバ２８の外周を被覆し、第１光ファイバ２８を保護する第１保護皮膜２６とが配置される。
【００３６】
［光取り出し部が装着された状態］
次に図１および図２を参照して、本体部１０に光取り出し部２０が装着された状態を説明する。図１および図２を参照して、本体部１０に光取り出し部２０が装着された状態においては、第２導電層６８の主面６８Ｂが外側筒状部２２の開口部側の端面２２Ｂと接触している。接続部２５の内側筒状部２４の外周面２４Ａは、中空筒状体７２の内周面７２Ｂと接触している。これにより、第２導電部７０と、接続部２５と、第１導電部５０との間で電気的な接続が形成される。
【００３７】
また本体部１０に光取り出し部２０が装着された状態においては、第２光ファイバ５４と、第１光ファイバ２８とが光結合される。図１および図２を参照して、本体部１０に光取り出し部２０が装着された状態においては、図１に示す第２光ファイバ５４の端部９２と第１光ファイバの端部９４とが、図２に示す接触点９６において接触する。これにより第２光ファイバ５４と第１光ファイバ２８とが光結合される。
【００３８】
［電力供給回路］
次に図１から図３を参照して、レーザ素子３２に電力を供給するための電力供給回路について説明する。
【００３９】
図１および図２を参照して、電源４４は配線４５と接続されている。配線４５は制御部４６と接続されている。配線４７は一方の端部において制御部４６と接続され、他方の端部である接点４１において内側端子７８と接続されている。内側端子７８は軸部７６を介して外側端子７４と接続されている。外側端子７４は第２導電層６８と接続されている。
【００４０】
一方、電源４４は配線４２を介してレーザ素子３２とも接続されている。レーザ素子３２は配線４８を介して接点４３においてベース部６２と接続されている。ベース部６２の主面６２Ａは、コネクタ６０の、外側筒状部５２の開口部側の端面５２Ａと接触している。コネクタ６０は、内側筒状部５３の外周面５３Ａにおいて中空筒状体７２の内周面７２Ｂと接触している。
【００４１】
ここで図１に示すように、光取り出し部２０が本体部１０に装着されていない状態においては、第２導電層６８と中空筒状体７２との間において電力供給回路が断絶している。すなわち、第１の導電部５０と第２の導電部７０とが電気的に接続されていない。したがって、光取り出し部２０が本体部１０に装着されていない状態においてはレーザ素子３２に対して電力が供給されず、レーザ光Ｌが出射部１４の外部へと出射されることが回避される。
【００４２】
そこで光取り出し部２０を本体部１０に装着することにより、第２導電層６８と中空筒状体７２との間が電気的に接続される。すなわち、第１の導電部５０と第２の導電部７０とが電気的に接続される。図２を参照して、光取り出し部２０が本体部１０に装着された状態においては、第２導電層６８の主面６８Ｂが外側筒状部２２の開口部側の端面２２Ｂと接触している。接続部２５の内側筒状部２４の外周面２４Ａは、中空筒状体７２の内周面７２Ｂと接触している。これにより、第２導電部７０と、接続部２５と、第１導電部５０との間で電気的な接続が形成される。このように、光取り出し部２０を本体部１０に装着することにより一連の電力供給回路が形成される。
【００４３】
図３は光取り出し部２０を本体部１０に装着した状態における、レーザユニット１内の電流の流れを示す概略図である。電源４４から供給される電流は、配線４５、制御部４６、配線４７を介して、接点４１から第２の導電部７０を構成する内側端子７８に入る。電流は内側端子７８から、軸部７６を通じて外側端子７４へと矢印Ｄ１の方向に流れる。外側端子７４に流れ込んだ電流は、外側端子７４に接触する第２導電層６８へと矢印Ｄ２の方向に流れる。電流は第２導電層６８から、第２導電層６８に接触する接続部２５の外側筒状部２２および支持部２３を通じて矢印Ｄ３の方向に流れ、内側筒状部２４へと流入する。
【００４４】
その後、電流は内側筒状部２４に接触する本体部１０の中空筒状体７２の壁内部を通って本体部１０に向かって矢印Ｄ４の方向に流れる。中空筒状体７２の壁内部を接続部２５側からからコネクタ６０側へと通過した電流は、中空筒状体７２に接触するコネクタ６０の内側筒状部５３に流れ込む。電流は、矢印Ｄ５に示すように、コネクタ６０内部を内側筒状部５３、支持部５５、外側筒状部５２の順に流れ、その後外側筒状部５２に接触するベース部６２へと流れ込む。
【００４５】
ベース部６２に流れ込んだ電流は、接点４３から配線４８に流れる。その後、電流は配線４８を通じてレーザ素子３２に流れ込む。これにより電源４４からレーザ素子３２に電力が供給される。その後レーザ素子３２から配線４２を通じて電源４４へと電流が流れる。このように、光取り出し部２０を本体部１０に装着することにより、電源４４からレーザ素子３２に対して電力を供給する電力供給回路が形成される。
【００４６】
［光の通過経路］
次に、図１および図２を参照して、レーザ光Ｌの通過する経路について説明する。図１を参照して、レーザ素子３２から出射されたレーザ光Ｌはコリメートレンズ３４を通って第２光ファイバ５４の内部に到達する。第２光ファイバ５４の一方の端部９０から入射したレーザ光Ｌは、第２光ファイバ５４の内部を通じて他方の端部９２へと到達する。本体部１０に光取り出し部２０が装着された状態においては、図１に示す第２光ファイバ５４の端部９２と第１光ファイバの端部９４とが、図２に示す接触点９６において接触し、第２光ファイバ５４と第１光ファイバ２８とが光結合される。第２光ファイバ５４の端部９２に到達したレーザ光Ｌは、接触点９６を経由し第１光ファイバ２８に入射する。その後、第１光ファイバ２８を通じてレーザユニット１の外部へと出射される。
【００４７】
上記レーザユニットによれば、光取り出し部２０の接続部２５がレーザ素子への電力供給回路の一部を構成する。そのため、光取り出し部２０が本体部１０に装着されていない状態ではレーザ素子３２に電力が供給されず、光取り出し部２０が本体部１０に装着されて初めてレーザ素子３２に電力が供給される。そのため、光取り出し部２０が取り外された状態でレーザ光Ｌが出射部１４の外部に出射されることを抑制することが可能なレーザユニット１を提供することができる。
【００４８】
以上が本実施の形態の説明である。なお、本実施の形態においては、ベース部６２と第１導電層とを個別の部材として説明したが、両者を一体化した一つの導電性部材として形成することもできる。また本実施の形態においては、コネクタ６０をベース部６２および中空筒状体７２に対し着脱可能なものとして説明したが、コネクタ６０をベース部６２とが一体化した構造を採用してもよい。またベース部６２と中空筒状体７２、およびベース部６２と第１導電層６４とを電気的に絶縁するための空隙５７は省略することも可能である。空隙５７を省略した場合、ベース部６２と中空筒状体７２、およびベース部６２と第１導電層６４との間が電気的に接続される。そのためコネクタ６０が不要となる。
【００４９】
絶縁部７５に関し、空隙部８２を設ける代わりに絶縁体を充填してもよい。すなわち、空隙部８２に相当する構造は、第１の導電部５０を構成するベース部６２および第１導電層６４のそれぞれと、第２の導電部７０を構成する軸部７６とが電気的に絶縁される構造であれば特に限定されない。
【００５０】
また第２の導電部７０は、内側端子７８と、軸部７６と、外側端子７４と、第２導電層６８とを含む構成としたが、内側端子７８と軸部７６と外側端子７４とを省略し、第２導電層６８に直接配線４７を接続することもできる。ただし、配線４７が本体部１０のケース１２の外部に露出しないことから外側端子７４と、内側端子７８と、軸部７６とを含むのが好ましい。
【００５１】
また上記本体部１０は、内側端子７８、軸部７６および外側端子７４から形成される固定具の他に、第１導電層６４、外側絶縁層６６および第２の導電部７０を固定するための別の固定具を別途設けてもよい。そのような固定具としては、電力供給回路に影響を与えないよう樹脂などの絶縁体製の固定具を用いるのが好ましい。
【００５２】
今回開示された実施の形態はすべての点で例示であって、どのような面からも制限的なものではないと理解されるべきである。本発明の範囲は上記した意味ではなく、特許請求の範囲によって示され、特許請求の範囲と均等の意味および範囲内でのすべての変更が含まれることが意図される。
【産業上の利用可能性】
【００５３】
本願のレーザユニットは、光取り出し部が取り外された状態ではレーザ光が出射部の外部に出射されることを抑制することが可能なレーザユニットが求められる分野において特に有利に適用され得る。
【符号の説明】
【００５４】
１  レーザユニット
１０  本体部
１２  ケース
１４  出射部
２０  光取り出し部
２２  外側筒状部
２２Ｂ  端面
２３  支持部
２４  内側筒状部
２４Ａ  外周面
２５  接続部
２６  第１保護皮膜
２８  第１光ファイバ
３０  レーザ発振器
３２  レーザ素子
３４  コリメートレンズ
３６  筐体
４１  接点
４２  配線
４３  接点
４４  電源
４５  配線
４６  制御部
４８  配線
５０  第１の導電部
５２  外側筒状部
５２Ａ  端面
５３  内側筒状部
５３Ａ  外周面
５４  第２光ファイバ
５５  支持部
５６  第２保護皮膜
５７  空隙
６０  コネクタ
６２  ベース部
６２Ａ  主面
６２Ｂ  主面
６４  第１導電層
６４Ａ  主面
６４Ｂ  主面
６６  外側絶縁層
６６Ａ  主面
６６Ｂ  主面
６８  第２導電層
６８Ａ  主面
６８Ｂ  主面
７０  第２の導電部
７２  中空筒状体
７２Ｂ  内周面
７４  外側端子
７６  軸部
７８  内側端子
８０  内側絶縁層
８０Ａ  主面
８０Ｂ  主面
８２  空隙部
８４  空隙部
９２  端部
９４  端部
９６  接触点
【図１】
2018098257.tif 000003
【図２】
2018098257.tif 000004
【図３】
2018098257.tif 000005